(57)【特許請求の範囲】
【請求項１】
スプリットモードを設定するためのスプリット設定手段と、
操作子の機能を切り換えるためのファンクション切換手段と、
前記ファンクション切換手段が操作されている状態において前記スプリット設定手段が操作された場合、該操作に基づいてスプリット時の音量バランス、ロアーペダルのオン・オフ、ロアーオクターブシフトの少なくとも１つを設定可能な状態にする制御手段と、
演奏時の各種バリューを設定するためのバリュー設定手段を備え、
前記バリュー設定手段は、前記設定可能な状態において、スプリット時の音量バランス、ロアーペダルのオン・オフ、ロアーオクターブシフトの少なくとも１つを設定する手段として用いられることを特徴とする電子楽器。
【請求項２】
前記制御手段は、前記ファンクション切換手段が操作されている状態において前記スプリット設定手段が操作された場合、前記スプリット設定手段が１回操作されるごとに、スプリット時の音量バランス、ロアーペダルのオン・オフ、ロアーオクターブシフトを順次設定可能な状態に切り換えることを特徴とする請求項１に記載の電子楽器。
【請求項３】
タッチボタンとトランスポーズボタンとを備え、前記タッチボタンは、前記トランスポーズボタンと共に操作されている間、該トランスポーズボタンと組み合わされてファンクション切換手段として機能することを特徴とする請求項１または２に記載の電子楽器。
【請求項４】
スプリット時の音量バランス、ロアーペダルのオン・オフ、ロアーオクターブシフトの少なくとも１つの設定について状態表示する表示手段をさらに備えたことを特徴とする請求項１ないし３のいずれかに記載の電子楽器。
【請求項５】
前記表示手段は、前記スプリット設定手段とともにパネル上に配置された多色発光ＬＥＤを含み、各色の点滅状態によって設定可能な項目が音量バランスであるか、ロアーペダルのオン・オフであるか、ロアーオクターブシフトであるかを表示することを特徴とする請求項４に記載の電子楽器。
【請求項６】
前記表示手段は、文字や記号を表示可能な表示手段を含むことを特徴とする請求項４に記載の電子楽器。
【発明の詳細な説明】
【０００１】
【発明の属する技術分野】
本発明は、電子ピアノなどの電子楽器に関し、特に、スプリット時の音量バランス、ロアーペダルのオン・オフ、ロアーオクターブシフトの設定を行うための専用の設定手段が不要であり、また、そのための設定ページを設定メニュー中に用意する必要もなく、直感的な操作で容易にそれら設定を行うことができる電子楽器に関する。
【０００２】
【従来の技術】
電子ピアノなどの電子楽器には、鍵盤の上鍵域と下鍵域とに異なる音色を割り当ててそれらを発音させるスプリットといったモードでの演奏が可能なものがある。
【０００３】
図５は、従来のこの種の電子楽器の操作パネルの外観を示す正面図であり、この操作パネル５は、スプリットボタン５−１、音色ボタン５−２、メニューボタン５−３、バリューボタン５−４、デュアル／スプリットバランス設定用フェーダ５−５、タッチボタン５−６、トランスポーズボタン５−７などの操作子や、例えばＬＣＤスクリーンからなるディスプレイ５−８などを有している。
【０００４】
このような操作パネル５を備える電子楽器においては、音色ボタン５−２の１つを押圧することにより発音させる音色を、内蔵された複数の音色、例えばピアノ、エレクトロニック・ピアノ、オルガン、マレット、ストリング等に種々に変えることができ、スプリットボタン５−１と音色ボタン５−２を用いてスプリットモードの選択およびそのモードでの音色選択などを行うことができる。
【０００５】
また、デュアル／スプリットバランス設定用フェーダ５−５によりスプリットモードにおける上鍵域の音色と下鍵域の音色の音量バランスを変えることができ、スプリットボタン５−１の押圧と同時に鍵盤の特定のキーを押鍵することにより、スプリット時の分割ポイントを変えることもできる。
【０００６】
さらに、メニューボタン５−３を操作して設定メニュー中からロアーオクターブシフトやロアーペダルオン・オフの設定ページを呼び出してディスプレイ５−９に表示させ、この状態でバリューボタン５−４を操作することにより下鍵域のキーのオクターブをシフトさせたり、下鍵域のキーについてペダルの機能をオン・オフさせたりすることもできる。
【０００７】
特開平３−２６９４９６号公報には、スプリットモードにおいて、操作された音色選択操作子の位置に応じて音量バランスを決定するようにして音色選択操作子を音量バランスの決定のためにも用い、操作子を増加させることなく音量を調整することができるようにした電子楽器が提案されている。
【０００８】
【発明が解決しようとする課題】
図５に示されるような操作パネルを備える電子楽器では、専用フェーダ（デュアル／スプリットバランス設定用フェーダ）を操作してスプリット時の音量バランスを直感的に設定可能であるものの、フェーダ自体、さらにはフェーダを取り付けるための面積の大きい基板を必要とするため、コストアップにつながるという問題がある。
【０００９】
この点、上記公報で提案されたものは、スプリット時の音量バランスを設定するための専用フェーダは不要であるが、単に音色選択操作子（音色ボタン）の操作により音量バランスを変化させるものであるため、音色そのものの選択との関係が操作上で不明瞭になり、誤操作する可能性がある。
【００１０】
また、設定メニュー中に、スプリット時の音量バランスの設定についての設定ページを用意しておき、これをディディスプレイに表示させて音量バランスの設定を可能にすることも考えられる。
【００１１】
しかしながら、このようにした場合には、現在、電子楽器においてはブリリアンス、ロアーオクターブシフト、ロアーペダルオン・オフ、チューニング、ＭＩＤＩ送信・受信チャンネル・・・など設定メニュー中に多くの設定ページが用意されているため、これらの設定ページの中からスプリット時の音量バランスの設定ページを呼び出すには、メニューボタンを何回も操作しなければならず、その設定ページに辿り着くのに手間が掛かり、操作が容易でないという問題がある。
【００１２】
本発明は、スプリット時の音量バランス、ロアーペダルのオン・オフ、ロアーオクターブシフトの設定を行うための専用の設定手段が不要であり、また、そのための設定ページを設定メニュー中に用意する必要もなく、直感的な操作で容易にそれら設定を行うことができる電子楽器を提供することを目的とするものである。
【００１３】
【課題を解決するための手段】
上記課題を解決するために、本発明は、スプリットモードを設定するためのスプリット設定手段と、操作子の機能を切り換えるためのファンクション切換手段と、前記ファンクション切換手段が操作されている状態において前記スプリット設定手段が操作された場合、該操作に基づいてスプリット時の音量バランス、ロアーペダルのオン・オフ、ロアーオクターブシフトの少なくとも１つを設定可能な状態にする制御手段と、演奏時の各種バリューを設定するためのバリュー設定手段を備え、前記バリュー設定手段は、前記設定可能な状態において、スプリット時の音量バランス、ロアーペダルのオン・オフ、ロアーオクターブシフトの少なくとも１つを設定する手段として用いられる点に第１の特徴がある。
【００１４】
また、本発明は、前記制御手段が、前記ファンクション切換手段が操作されている状態において前記スプリット設定手段が操作された場合、前記スプリット設定手段が１回操作されるごとに、スプリット時の音量バランス、ロアーペダルのオン・オフ、ロアーオクターブシフトを順次設定可能な状態に切り換える点に第２の特徴がある。
【００１５】
また、本発明は、タッチボタンとトランスポーズボタンとを備え、前記タッチボタンは、前記トランスポーズボタンと共に操作されている間、該トランスポーズボタンと組み合わされてファンクション切換手段として機能する点に第３の特徴がある。
【００１６】
また、本発明は、スプリット時の音量バランス、ロアーペダルのオン・オフ、ロアーオクターブシフトの少なくとも１つの設定について状態表示する表示手段をさらに備えた点に第４の特徴がある。
【００１７】
また、本発明は、前記表示手段が、前記スプリット設定手段とともにパネル上に配置された多色発光ＬＥＤを含み、各色の点滅状態によって設定可能な項目が音量バランスであるか、ロアーペダルのオン・オフであるか、ロアーオクターブシフトであるかを表示する点に第５の特徴がある。
【００１８】
また、本発明は、前記表示手段は、文字や記号を表示可能な表示手段を含む点に第６の特徴がある。
【００１９】
第１および第２の特徴によれば、スプリット設定手段とファンクション切換手段とにより直感的な操作で容易にスプリット時の音量バランス、ロアーペダルのオン・オフ、ロアーオクターブシフトを設定可能な状態にすることができ、操作パネルにそれら設定に専用の設定手段を設ける必要がなく、また、設定メニュー中にロアーペダルのオン・オフ、ロアーオクターブシフトについて設定ページを設けておく必要がなくなるため、操作パネルの構成および設定メニューを簡素にすることができる。
【００２０】
また、第３の特徴によれば、専用のファンクション切換手段が不要であり、既存のボタンを利用してスプリット時の音量バランス、ロアーペダルのオン・オフ、ロアーオクターブシフトを設定可能な状態にすることができる。
【００２１】
さらに、第４ないし第６の特徴によれば、現在設定できる項目が容易に把握でき、第６の特徴によれば、設定された状態をも容易に把握できる。
【００２２】
【発明の実施の形態】
以下、本発明の実施の形態を図面を参照して詳細に説明する。図１は、本発明が適用された電子ピアノの構成を示すブロック図である。同図において、ＣＰＵ１は、ＲＯＭ３に格納されている制御プログラムに従って電子楽器全体の制御を行う。ＣＰＵ１は、タイマ割り込み回路の他、ＭＩＤＩインタフェース回路２との接続用シリアルポートも備えている。ＭＩＤＩインタフェース回路２は、外部のＭＩＤＩ機器との間においてＭＩＤＩメッセージのやり取りを行う信号送受信回路である。
【００２３】
ＲＯＭ３には制御プログラム、音色パラメータやエフェクトについてのパラメータなどの演奏状態を設定するための各種パラメータなどが記憶されている。音色パラメータには波形メモリに記憶されている楽音波形のアドレス情報、エンベロープ制御情報等がある。ＲＡＭ４は、ＣＰＵ１のワークエリアとして使用される。ＲＡＭ４は、例えばバッテリによりバックアップされていてもよい。
【００２４】
操作パネル５は、演奏時の各種状態を設定するための操作子、演奏時や設定時の状態を表示する、例えば、ＬＣＤスクリーンからなるディスプレイを有している。この操作パネル５の詳細については後述する。操作パネルインタフェース（Ｉ／Ｆ）６は、操作パネル５の操作子のスイッチのオン・オフを示すスイッチイベント情報を生成する。これらスイッチイベント情報は各操作子に対応付けられてＲＡＭ４に記憶される。
【００２５】
鍵盤７は複数のキー（鍵）を有し、それぞれのキーオン・キーオフを示すキーイベント情報や押鍵強さつまりベロシティを示すタッチ情報を検知するための、例えば２つのセンサを有している。鍵盤インタフェース（Ｉ／Ｆ）８は、前記センサの状態に基づいてキーイベント情報やタッチ情報を生成し、これらの情報はキーナンバに対応付けられてＲＡＭ４に記憶される。ダンパペダル、ソフトペダルを含むペダル９およびペダルインタフェース１０は、ペダル操作のオン・オフを示すペダルイベント情報を生成し、このペダルイベント情報もＲＡＭ４に記憶される。
【００２６】
楽音発生回路１１は、波形読み出し方式により所望の楽音信号を発生する回路であり、例えばデジタルコントロール・オシレータ（ＤＣＯ）、デジタルコントロール・フィルタ（ＤＣＦ）、デジタルコントロール・アンプ（ＤＣＡ）およびエフェクタを有し、デジタル楽音波形サンプル値が記憶されている波形メモリから、発音すべき音高に比例したアドレス間隔で順次波形データを読み出し、補間演算を行って楽音波形信号を発生させる。また、エンベロープ発生回路を有し、設定されたエンベロープパラメータに基づいて発生したエンベロープ信号を楽音波形発生信号に乗算してエンベロープを付与し、楽音信号を出力する。楽音発生回路１１は、複数、例えば３２の楽音発生チャネルを有しているが、実際には、１つの楽音発生回路を時分割多重動作させることにより同時に複数の楽音信号を独立して発生可能に構成されている。
【００２７】
Ｄ／Ａ変換器１２はデジタル楽音信号をアナログ信号に変換するものであり、アンプ１３によって増幅された楽音信号によりスピーカ１４が発音を行う。バス１５は電子楽器内の各回路を接続している。
【００２８】
図２は、図１における操作パネル５の外観を示す正面図であり、この操作パネル５は、スプリットボタン５−１、複数の音色ボタン５−２、メニューボタン５−３、バリューボタン５−４、タッチボタン５−６、トランスポーズボタン５−７などの操作子や、例えばＬＣＤスクリーンからなるディスプレイ５−８などを備えるが、デュアル／スプリットバランス設定用フェーダは備えていない。
【００２９】
タッチボタン５−６とトランスポーズボタン５−７は、ファンクション切換手段としても機能し、これら両ボタンを押しつつ、例えば音色ボタン５−１の「Piano」を１回押せばブリリアンスの設定が可能になり、この状態でバリューボタン５−４を操作してブリリアンス、すなわち音色の明るさを変化させることができる。また、これら両ボタンを押しつつ、「Piano」を２回押せばＭＩＤＩの設定が可能になる。この状態から抜け出すにはいずれかの音色ボタン５−２を押せばよい。
【００３０】
本発明は、スプリットボタン５−１とファンクション切換手段との組み合わせを用い、ファンクション切換手段が操作されている状態においてスプリットボタンが操作された場合、この操作に基づいてスプリット時の音量バランス、ロアーペダルのオン・オフ、ロアーオクターブシフトを設定可能な状態にするものである。
【００３１】
図２を参照して本発明の実施形態における動作を説明するが、その動作制御は、各ボタンの操作に基づいてＣＰＵ１により実行される。まず、タッチボタン５−６とトランスポーズボタン５−７の両方が押さつつスプリットボタン５−１が１回押されたことが検出されると、スプリット時の音量バランスを設定可能な状態にするとともに、スプリットボタン５−１とともに配置した３色発光ＬＥＤを赤色点滅させる。
【００３２】
この赤色点滅状態でバリューボタン５−４の操作が検出されればその操作に応じて音量バランスを設定する。この場合、図２の２桁７セグメントのディスプレイ５−８に示すように、下鍵域の音色の音量と上鍵域の音色の音量とを数字で表示させることができる。なお、全体の音量は、図示しないマスタボリュームにより設定される。
【００３３】
タッチボタン５−６とトランスポーズボタン５−７の両方が押されつつスプリットボタン５−１がさらに１回押されたことが検出されたときは、スプリット時のロアーペダルのオン・オフを設定可能な状態にするとともに、３色発光ＬＥＤを黄色点滅させる。この黄色点滅状態でバリューボタン５−４の操作が検出されればその操作に従いロアーペダルのオン・オフを設定する。
【００３４】
タッチボタン５−６とトランスポーズボタン５−７の両方が押されつつスプリットボタン５−１がさらに１回押されたことが検出されたときは、スプリット時のロアーオクターブシフトを設定可能な状態にするとともに、３色発光ＬＥＤを緑色点滅させる。この緑色点滅状態でバリューボタン５−４の操作が検出されればその操作に従いロアオクターブを＋１あるいは−１に設定する。ここで、いずれかの音色ボタン５−２が押されたことが検出されれば、これら状態から抜け出す。
【００３５】
図３は、本発明の実施形態に係る電子楽器全体の処理を示すメインフローチャートである。まず、電源が投入されたならばステップＳ１でＣＰＵ１、ＲＡＭ４、楽音発生回路１１を構成するＬＳＩ等を初期化するとともに、操作回数変数Ｎ＝０をレジスタにセットする。この変数Ｎは、スプリットボタン５−１の操作回数に応じて音量バランス、ロアーペダルのオン・オフ、ロアーオクターブシフトのいずれかを設定可能な状態にするために用いられる。
【００３６】
ステップＳ２のパネルイベント検出・設定処理では、スプリットボタン５−１以外の操作子の操作を検出し、その検出に応じた状態に電子楽器を設定する。ステップＳ３の鍵盤イベント検出処理では、鍵盤７において操作されたキーのキーコードやタッチの強さに対応するベロシティ情報などを検出する。
【００３７】
ステップＳ４のキースプリット処理では、スプリットボタン５−１や音色ボタン５−２、ファンクション選択手段として機能するタッチボタン５−６とトランスポーズボタン５−７の操作に応じてスプリットモードにおける各種設定を可能にする。スプリットモードにおける各種設定については、後で詳細に説明する。
【００３８】
ステップＳ５では、パネルイベント検出・設定処理（Ｓ２）、鍵盤イベント検出処理（Ｓ３）およびキースプリット処理（Ｓ４）の結果に基づいて発音処理を行う。ステップＳ６のその他の処理では、自動演奏などが設定されて場合の自動演奏処理やＭＩＤＩ処理などを行う。
【００３９】
図４は、図３のキースプリット処理（Ｓ４）のフローチャートである。同図において、まず、ステップ１０でスプリットボタン５−１が押されているか否かを判断する。ステップ１０での判断がＮＯの場合、メインフローにリターンし、以降の処理に進む。
【００４０】
ステップ１０での判断がＹＥＳの場合には、ステップ１１で新たにいずれかのキーがオンされたか否かを判断する。ここでの判断がＹＥＳの場合には、ステップＳ１２で該キーを下鍵域のトップとしてスプリットポイントを決定した後、メインフローにリターンする。この処理は、スプリットモードにおける分割ポイントの設定処理である。
【００４１】
ステップＳ１１での判断がＮＯの場合には、ステップＳ１３でタッチボタン５−６およびトランスポーズボタン５−７５がオンされているか否か、すなわち、ファンクション選択手段が操作されているか否かを判断する。
【００４２】
ここでＮＯと判断されれば、メインフローにリターンするが、ＹＥＳと判断されれば、ステップＳ１４でスプリットボタン５−７の操作回数を得るためにＮ＝Ｎ＋１とする。スプリットボタン５−７の最初の１回目の操作ではＮ＝１となる。
【００４３】
次に、ステップＳ１５でＮ＝３ｎ＋１（ｎ＝０、１、２、・・・）か否かを判断する。ここでＹＥＳと判断されれば、ステップ１６でスプリット時の音量バランスを設定可能な状態にする。Ｎ＝１、４、７、・・・では、音量バランスが設定可能な状態になる。
【００４４】
ステップＳ１５でＮＯと判断された場合には、ステップＳ１７でＮ＝３ｎ＋２か否かを判断する。ここでＹＥＳと判断されれば、ステップ１８でスプリット時のロアーペダルのオン・オフを設定可能な状態にする。Ｎ＝２、５、８、・・・では、ロアーペダルのオン・オフが設定可能な状態になる。
【００４５】
ステップＳ１７でＮＯと判断された場合はＮ＝３ｎであり、この場合にはステップＳ１９でスプリット時のロアーオクターブシフトを設定可能な状態にする。Ｎ＝３、６、９、・・・では、ロアーオクターブシフトが設定可能な状態になる。
【００４６】
ステップＳ２０ではスプリットボタン５−７が新たに押されたか否かを判断し、押されたと判断されればステップＳ１３に戻り、押されていないと判断されれば、ステップＳ２１でのいずれかの音色ボタン５−２が押されたか否かの判断に従ってその状態を保持あるいはその状態から抜け出す。
【００４７】
以上のフローから明らかなように、Ｓ１３〜Ｓ２０のステップを繰り返すことにより、タッチボタン５−６とトランスポーズボタン５−７の両方が押されている状態でスプリットボタン５−１が押されると、その１回押しごとにスプリット時の音量バランス、ロアーペダルのオン・オフ、ロアーオクターブシフトがトグル的に順次設定可能な状態になる。
【００４８】
以上、本発明の実施形態について説明したが、本発明は、種々に変形可能である。例えば、スプリットボタンに代えて、スプリットモードを選択するための種々の手段を採り得る。また、ファンクション切換手段は、タッチボタンとトランスポーズボタンとの組み合わせに限らず、その他の手段であっても構わない。
【００４９】
また、設定可能状態の表示は、要するに現在設定可能なのは何かが分かればよいものであり、スプリットボタンとともに配置した３色発光ＬＥＤによるものに限定されない。
【００５０】
また、本発明は、電子ピアノに限らず、スプリットモードでの演奏が可能な各種電子楽器に適用可能である。
【００５１】
【発明の効果】
以上の説明から明らかなように、本発明によれば、スプリット時の音量バランス、ロアーペダルのオン・オフ、ロアーオクターブシフトの設定を行うための専用の設定手段が不要であり、また、そのための設定ページを設定メニュー中に用意する必要もなく、直感的な操作で容易にそれら設定を行うことができるようになる。
【図面の簡単な説明】
【図１】  本発明が適用された電子ピアノの構成を示すブロック図である。
【図２】  図１における操作パネルの外観を示す正面図である。
【図３】  本発明の実施形態に係る電子楽器全体の処理を示すメインフローチャートである。
【図４】  図３におけるキースプリット処理のフローチャートである。
【図５】  従来の電子楽器の操作パネルの外観を示す正面図である。
【符号の説明】
１・・・ＣＰＵ、２・・・ＭＩＤＩインタフェース、３・・ＲＯＭ、４・・・ＲＡＭ、５・・・操作パネル、５−１・・・スプリットボタン、５−２・・・音色ボタン、５−３・・・メニューボタン、５−４・・・バリューボタン、５−５・・・デュアル／スプリットバランス設定用フェーダ、５−６・・・タッチボタン、５−７・・・トランスポーズボタン、５−６・・・ディスプレイ、６・・・操作パネルインタフェース、７・・・鍵盤、８・・・鍵盤インタフェース、９・・・ペダル、１０・・・ペダルインタフェース、１１・・・楽音発生回路、１２・・・Ｄ／Ａ、１３・・・アンプ、１４・・スピーカ、１５・・・バス
【図１】
0003912669.tif 000002
【図２】
0003912669.tif 000003
【図３】
0003912669.tif 000004
【図４】
0003912669.tif 000005
【図５】
0003912669.tif 000006